(57)【要約】【課題】公衆基地局や事業所基地局等の２つの基地局からの電波の受信を待ち受けする２面待ち動作の遅延を改善する移動端末の受信制御方法および装置を提供する。【解決手段】移動端末２０は、アンテナ２３、受信部２２と共に制御部２１を備えている。この制御部２１は、それぞれ１対の基地局３０Ａおよび３０ＢからのＡ波およびＢ波のタイミングを設定するタイマ２１Ａおよび２１Ｂを含んでいる。これらタイマ２１Ａおよび２１Ｂの設定値に基づいて受信部２２に受信指示を出し、Ａ波およびＢ波の衝突状態の判断結果に基づいて交互受信処理又は通常受信処理を行う。【選択図】図３
2007081501.tif 000002
【特許請求の範囲】
【請求項１】
２つの異なるシステムの制御チャネルの電波（Ａ波およびＢ波）の受信を待ち受ける移動端末の受信制御方法において、
前記２つの制御チャネルに対応する電波の受信タイミングを決定するステップと、前記決定された受信タイミングをそれぞれのタイマに設定するステップと、受信の衝突発生の有無を判断するステップと、前記衝突発生の有無に基づき前記２つの電波（Ａ波およびＢ波）の受信タイミングを切り替えて前記衝突を回避する受信処理ステップとを備えることを特徴とする移動端末の受信制御方法。
【請求項２】
前記受信の衝突検出ステップで衝突を検出した場合には、前記Ａ波およびＢ波を交互に受信する交互受信処理し、前記受信の衝突発生がない場合には、前記Ａ波およびＢ波の通常受信処理を行うことを特徴とする請求項１に記載の移動端末の受信制御方法。
【請求項３】
前記受信処理ステップの後に、前記Ａ波用およびＢ波用タイマをそれぞれ更新するステップを備えることを特徴とする請求項２に記載の移動端末の受信制御方法。
【請求項４】
前記受信の衝突の発生の有無は、予め決められた所定周期で定期的に実行することを特徴とする請求項１、２又は３に記載の移動端末の受信制御方法。
【請求項５】
基地局Ａおよび基地局Ｂの２つの異なる基地局の制御チャネルの電波であるＡ波およびＢ波の受信を待ち受ける移動端末の受信制御装置において、
前記移動端末は、それぞれアンテナおよび受信部を介して前記基地局Ａおよび前記基地局Ｂから受信するＡ波およびＢ波の周期を検出して設定するＡ波用タイマおよびＢ波用タイマを備え、該タイマにより前記Ａ波および前記Ｂ波の時間的距離を求める制御部を備えることを特徴とする移動端末の受信制御装置。
【請求項６】
前記移動端末の制御部は、前記Ａ波用タイマおよび前記Ｂ波用タイマの設定値に基づき、前記受信部に受信指示することを特徴とする請求項５に記載の移動端末の受信制御装置。
【請求項７】
前記基地局Ａおよび前記基地局Ｂの一方は公衆基地局であり、他方は自営基地局であり、前記移動端末はＰＨＳであることを特徴とする請求項５又は６に記載の移動端末の受信制御装置。
【発明の詳細な説明】
【技術分野】
【０００１】
本発明は移動端末に関し、特に公衆ＰＨＳ（Personal Handy-phone System）基地局や事業所用ＰＨＳ等で運用される如き移動端末の受信制御方法および装置に関する。
【背景技術】
【０００２】
移動端末（又は携帯端末）では、比較的狭く且つ重複したいサービスエリア（セル）を有する複数の基地局のうちの１つ以上の基地局と無線通信可能に構成されている。そして、移動端末はこれらの基地局を介して、他の携帯端末等の端末と通信するよう構成されている。
【０００３】
ＡＲＩＢ・ＳＴＤ−２８標準規格によると、親機又は基地局（以下、ＣＳという）が制御キャリアで送信するチャネルの種類として、ＢＣＣＨ、ＰＣＨ、ＳＣＣＨ、ＵＳＣＣＨがある。これらは、機能チャネルと呼ばれるうちの論理制御チャネル（以下、ＬＣＣＨという）と呼ばれるチャネルに属している。これらは、全てのＬＣＣＨ要素のスロット位置に指定する下りＬＣＣＨの最小周期をＬＣＣＨスーパーフレームと定義されており、このシステムの動作に必要な情報を報知するＢＣＣＨ、全ての着信群に対応するＰＣＨ、固定的に挿入されるＳＣＣＨおよびＵＳＣＣＨ（オプション）で構成される。このうち、ＰＣＨは、「一斉呼出チャネル〜ＣＳから子機又は移動端末（以下、ＰＳという）に対して、単一セル又は複数セルの広いエリア（一斉呼出エリア）に同一の情報を一斉に転送するポイント−マルチポイントの双方向チャネルであり、セルに独立の情報を転送する」と定義されている。
【０００４】
本明細書中では、指定されたＰＣＨにＰＳが同期受信するセルを、自着信群と定義している。尚、ＬＣＣＨが送信される制御キャリアは、送信開始時の空きチャネル検出のためのキャリアセンスは不要であり、ＣＳからの制御用物理スロットは間欠送信される。ここで、ＣＳが送信するＬＣＣＨ構造と、各ＰＳが送信可能な制御用物理スロットの位置は、無線チャネル情報報知によりＣＳ→ＰＳで通知される。
【０００５】
次に、２波の受信タイミングと受信衝突について説明する。先ず、２波の受信タイミングについて、ＰＨＳには公衆波および自営波があり、それぞれＡＲＩＢ・ＳＴＤ−２８標準規格により定められた制御用キャリアを用いて下り方向（ＣＳが送信する意味であり、逆に上り方向とはＰＳの送信を指す）のＬＣＣＨスーパーフレーム構成で送信している。本明細書中で説明する２波とは、これら２つの制御キャリアを示し、「２面待ち」とは、これら２つの制御キャリアに同期して待ち受ける動作を言う。
【０００６】
ＰＳは、これら２つの制御キャリアに同期受信して待ち受け動作することを可能にしている。一般的に、ＰＳが２面待ちするときは、公衆の制御キャリアに同期受信するタイマと自営の制御キャリアに同期受信するタイマを用意し、これら２つのタイマが生成するタイミングで独立してそれぞれの制御キャリアを同期受信する。２つの制御キャリアに同期受信する時間的な因果関係を、ここでは２波の受信するタイミングと定義している。
【０００７】
受信の「衝突」とは、ＰＨＳ公衆基地局が発する制御キャリアと事業所用デジタルコードレスシステム等を擁する自営基地局が発する制御キャリアとを時間軸上で観察した場合に、それぞれの制御用物理スロット位置の因果関係が近傍であるか一部又は全部が重なっている現象と定義される。ここで問題としているのは、時間軸上の受信であり、周波数として同一又は近傍であることを意味するものではない。尚、以下の説明で、ＣＳの送信タイミングは、ＰＳの受信タイミングである。
【０００８】
ここで、制御チャネル上（周波数が違っても）の同一周期で電波を送出している基地局に２面待ちする場合には、受信の衝突を回避する必要がある。この現象を回避する一般的な方法として、各基地局は、異なる周期で電波を送出している（例えば、公衆の基地局と異なる周期を設定する）。周期の異なる基地局の場合には、２つの周期の最小公倍数の間隔で一過性の衝突が発生するのみであるので、問題とはならない。
【０００９】
しかし、２面待ちを考慮せず且つ同じ周期の基地局も少なからず存在する。これらの基地局と２面待ち動作を実現するためには、時間軸上で双方の受信時間が同一とならないように移動端末側でその衝突を検知して相互に重ならない基地局に待ち受けさせる必要があった。
【００１０】
斯かる技術分野における又は関連する従来技術は、幾つかの技術文献に開示されている。２つの無線サービスゾーンを有し、待ち受け中に無線電話機は、２つの制御チャンネルを交互にスキャンして受信して、２つのゾーンで制御チャンネルの送信周波数を異ならせ、同時着呼信号の衝突を防止する無線電話システムが開示されている（例えば、特許文献１参照。）。標準間隔および長間隔の受信タイマおよびタイマ切替部等を含み、所定時刻になると間欠受信周期を切替可能にするコードレス電話装置が開示されている（例えば、特許文献２参照。）。待ち受けモードを設定するモード設定手段を有し、設定されたモードを判定し、そのモードに対応して受信状態を制御する携帯用端末装置が開示されている（例えば、特許文献３参照。）。また、受信部に２つの受信判定部を接続し、それぞれの受信判定部に受信タイミング生成部が接続されて、正常に受信できた制御信号を選択的に受信できるようにする携帯電話機が開示されている（例えば、特許文献４参照。）。
【００１１】
【特許文献１】特開平４−８２２号公報（第２−３頁、第１−２図）
【特許文献２】特開平６−６９８５４号公報（第４−５頁、第１図）
【特許文献３】特開平９−２６１７５６号公報（第３頁、第１図）
【特許文献４】特開平９−３２２２３６号公報（第２−３頁、第１図）
【発明の開示】
【発明が解決しようとする課題】
【００１２】
移動端末が２つの異なるシステムに関する制御チャネル上の電波を受信して待ち受ける（以下、２面待ちという）動作（例えば、ＰＨＳ公衆基地局と事業所用デジタルコードレスシステムの基地局）は、通常、先ず２波あるうちの一方に待ち受けして次に他方に待ち受けすることで２面待ちとしての待ち受け動作を完了することで両システムへの発着信を可能としている。しかし、２波の受信するタイミングが同じ又は近いために時間的な受信区間が重なってしまう（即ち、受信の衝突）場合には、現状のシステムではどちらか一方しか受信できないため、他方の自着信群を受信できなくなる。このような現象を回避するために、従来技術では一方の待ち受けを一旦解除して同じシステムの別の基地局に待ち受けし直すことにより自着信群の受信ができなくなる現象は回避できるが、今度は待ち受け動作完了までの時間が受信の衝突が発生していない状況での２面待ち動作と比較すると最低でも１回余分な待ち受け動作が発生してしまうという課題を有する。
【００１３】
本発明は、従来技術の斯かる課題に鑑みなされたものであり、２面待ちの待ち受け動作に関して、(1)２面待ち動作完了後の受信の衝突による自着信群を受信できなくなる現象、(2)（1）の課題を解決するために再度待ち受けし直すために待ち受け動作完了までの余分な時間が生ずる点を改善する移動端末の受信制御方法および装置を提供することを目的とする。
【課題を解決するための手段】
【００１４】
前述の課題を解決するため本発明による移動端末の受信制御方法および装置は次のような特徴的な構成を採用している。
【００１５】
（１）２つの異なるシステムの制御チャネルの電波（Ａ波およびＢ波）の受信を待ち受ける移動端末の受信制御方法において、
前記２つの制御チャネルに対応する電波の受信タイミングを決定するステップと、前記決定された受信タイミングをそれぞれのタイマに設定するステップと、受信の衝突発生の有無を判断するステップと、前記衝突発生の有無に基づき前記２つの電波（Ａ波およびＢ波）の受信タイミングを切り替えて前記衝突を回避する受信処理ステップとを備える移動端末の受信制御方法。
（２）前記受信の衝突検出ステップで衝突を検出した場合には、前記Ａ波およびＢ波を交互に受信する交互受信処理し、前記受信の衝突発生がない場合には、前記Ａ波およびＢ波の通常受信処理を行う上記（１）の移動端末の受信制御方法。
（３）前記受信処理ステップの後に、前記Ａ波用およびＢ波用タイマをそれぞれ更新するステップを備える上記（２）の移動端末の受信制御方法。
（４）前記受信の衝突の発生の有無は、予め決められた所定周期で定期的に実行する上記（１）、（２）又は（３）の移動端末の受信制御方法。
（５）基地局Ａおよび基地局Ｂの２つの異なる基地局の制御チャネルの電波であるＡ波およびＢ波の受信を待ち受ける移動端末の受信制御装置において、
前記移動端末は、それぞれアンテナおよび受信部を介して前記基地局Ａおよび前記基地局Ｂから受信するＡ波およびＢ波の周期を検出して設定するＡ波用タイマおよびＢ波用タイマを備え、該タイマにより前記Ａ波および前記Ｂ波の時間的距離を求める制御部を備える移動端末の受信制御装置。
（６）前記移動端末の制御部は、前記Ａ波用タイマおよび前記Ｂ波用タイマの設定値に基づき、前記受信部に受信指示する上記（５）の移動端末の受信制御装置。
（７）前記基地局Ａおよび前記基地局Ｂの一方は公衆基地局であり、他方は自営基地局であり、前記移動端末はＰＨＳである上記（５）又は（６）の移動端末の受信制御装置。
【発明の効果】
【００１６】
本発明の移動端末の受信制御方法および装置によると、次の如き実用上の顕著な効果が得られる。即ち、Ａ波およびＢ波が時間軸上で重なっているような状況下でも、Ａ波用タイマおよびＢ波用タイマによりこれら両波の時間的な距離を計算して、Ａ波およびＢ波の両方を各周期毎に自着信群を交互に受信して待ち受けることにより、双方の着信が可能になる。また、Ａ波およびＢ波をそれぞれ一度ずつ待ち受け動作で２面待ちを実現させているので、受信の衝突を検出して再待ち受け処理を施すことで受信の衝突を回避するというような手法の動作も必要ないので、受信の衝突が発生していない場合と同様に同一時間で待ち受けさせることが可能である。
【発明を実施するための最良の形態】
【００１７】
以下、本発明による移動端末の受信制御方法および装置の好適実施形態の構成および動作を、添付図面を参照して詳細に説明する。
【００１８】
先ず、図１は、本発明による移動端末の受信制御装置の好適実施形態の基本構成を示すブロック図である。この移動端末の受信制御装置１０は、移動端末２０およびこの移動端末２０と通信する２つの基地局（例えば、公衆基地局と自営基地局）３０Ａ、３０Ｂにより構成される。移動端末２０は、１対のタイマ２１Ａ、２１Ｂおよび必要な制御手段（図示せず）を含む制御部（例えば、ＣＰＵ：中央処理装置）２１、受信部２２およびアンテナ２３を備えている。尚、タイマ２１Ａ、２１Ｂは、制御部２１に内蔵又は外付けの何れでもよいが、特定の実施形態では内蔵されている。制御部２１と受信部２２との間は制御信号で接続され、受信部２２にアンテナ２３が空中線として接続されている。
【００１９】
図１に示す移動端末の受信制御装置１０において、基地局３０ＡはＡ波を制御チャネルとし、基地局ＢはＢ波を制御チャネルとしてそれぞれ電波を送信している。これら基地局３０Ａおよび３０Ｂからの電波であるＡ波およびＢ波は、移動端末２０のアンテナ２３により受信され、受信部２２を介して制御部２１へ供給される。
【００２０】
次に、図２（Ａ）乃至（Ｅ）のタイミングチャートを参照して図１に示す本発明による移動端末の受信制御装置１０の動作である本発明による移動端末の受信制御方法を説明する。
【００２１】
先ず、図２（Ａ）は、基地局３０（即ち、基地局３０Ａおよび基地局３０Ｂ）が送信するＡ波又はＢ波である基地局の送信（ａ）および移動端末２０の受信（ｂ）を示す図である。図２（Ａ）中の「オン」期間である１つの送信区間（又は受信区間）をスロットと呼んでいる。通常これらのスロットは、基地局３０Ａと基地局３０Ｂでは周波数の異なる非同期のタイミングで電波を送信している。尚、図２中では、理解を容易にするために、移動端末２０が受信すべき着信群のみを示している。
【００２２】
図２（Ｂ）は、基地局３０Ａの送信（ａ）と基地局３０Ｂの送信（ｂ）が時間軸上でまったく重ならない場合を示している。図２（Ｃ）は、基地局３０Ａの送信（ａ）と基地局３０Ｂの送信（ｂ）が部分的に重なる場合を示す。
【００２３】
図２（Ｄ）は、図２（Ｂ）のパターン（即ち、基地局３０Ａと基地局３０ＢのＡ波およびＢ波が全く重ならない場合）で２面待ちしたときの移動端末２０による受信パターンのイメージ図である。この場合には、移動端末２０は、基地局３０ＡからのＡ波と基地局３０ＢからのＢ波を交互且つスロット毎に受信する。一方、図２（Ｅ）は、図２（Ｃ）のパターン（即ち、基地局３０ＡのＡ波と基地局３０ＢのＢ波が部分的に重なる場合）で２面待ちしたときの移動端末２０の受信パターンのイメージ図である。この場合には、基地局３０ＡからのＡ波および基地局３０ＢからのＢ波を、１つおきのスロット毎に交互に受信する。
【００２４】
次に、移動端末２０がこれら基地局３０Ａ、３０Ｂからの電波であるＡ波、Ｂ波に同期して待ち受けする２面待ちの基本動作について説明する。
（１）移動端末２０の制御部２１は、先ず基地局３０ＡからのＡ波を待ち受けるために受信部２２へＡ波の受信指示を行う。
（２）受信部２２では、アンテナ２３を介して基地局３０ＡからのＡ波を検出しつつ待ち受けすべき自着信群を検出する。
（３）制御部２１は、受信部２２で検出された着信群の周期を基づいてＡ波用としてタイマ２１Ａに設定する。
（４）これ以降は、Ａ波への待ち受けは、このタイマ２１Ａを基に制御部２１が受信部２２の制御を行う。
（５）次に、制御部２１は、基地局３０ＢからのＢ波を待ち受けるために受信部２２へＢ波の受信指示を行う。
（６）受信部２２では、アンテナ２３を介してＢ波を検出しつつ待ち受けすべき自着信群を検出する。
（７）制御部２１は、受信部２２で検出された着信群周期を計算して基地局３０ＢからのＢ波用としてタイマ２１Ｂに設定する。
【００２５】
上述した（１）〜（７）の手順の後、図２（Ｂ）の如くＡ波、Ｂ波が時間軸上で重なっていない場合には、移動端末２０の制御部２１は、タイマ２１Ａおよびタイマ２１Ｂの時間的な距離（間隔）を計算し、受信区間が衝突しないと判断し、それぞれのタイミングを基準としてＡ波およびＢ波の自着信群を毎回受信する。図２（Ｄ）は、このときの移動端末２０側からみた受信パターンの例を示す。
【００２６】
一方、上述した（１）〜（７）の手順の後に、図２（Ｃ）の如くＡ波、Ｂ波が時間軸上で重なっている場合には、移動端末２０の制御部２１は、タイマ２１Ａとタイマ２１Ｂの時間的な距離を算出し、受信区間が衝突していると判断する。そして、例えば最初の周期ではＡ波の自着信群を受信し、次の周期ではＢ波の自着信群を受信し、その次の周期ではＡ波を受信するように交互且つ周期毎にＡ波の受信とＢ波の受信を切り替える。図２（Ｅ）は、このときの移動端末２０側から見た待ち受けパターンの例を示す。
【００２７】
次に、図３を参照して、本発明による移動端末の受信制御方法である待ち受け処理を説明する。先ず、基地局３０ＡからのＡ波に対する待ち受けを行う（ステップＳ１）。そして、制御部２１のＡ波用タイマ２１Ａを更新する（ステップＳ２）。次に、基地局３０ＢからのＢ波に対する待ち受けを行う（ステップＳ３）。そして、Ｂ波用タイマ２１Ｂを更新する（ステップＳ４）。
【００２８】
次に、受信の衝突が発生しているか否かを判断する（ステップＳ５）。受信の衝突が発生している場合（ステップＳ５：ＹＥＳ）には、Ａ波およびＢ波を交互に受信する交互受信処理する（ステップＳ６）。一方、受信の衝突が発生していない場合（ステップＳ５：ＮＯ）には、Ａ波およびＢ波の通常受信処理を行う（ステップＳ７）。これらステップＳ６およびステップＳ７の後、Ａ波用タイマ２１ＡおよびＢ波用タイマ２１Ｂを更新する（ステップＳ８）、そして、上述したステップＳ５へ戻り、ステップＳ５〜ステップＳ８の処理を、予め決められた一定周期で繰り返す。
【００２９】
以上、本発明による移動端末の受信制御方法および装置の好適実施形態の構成および動作を詳述した。しかし、斯かる実施形態は、本発明の単なる例示に過ぎず、何ら本発明を限定するものではないことに留意されたい。本発明の要旨や精神を逸脱することなく、特定用途に応じて種々の変更が可能であること、当業者には容易に理解できよう。
【００３０】
本発明による移動端末の受信制御方法および装置において、タイマ２１Ａとタイマ２１Ｂの時間的な距離の計算とは、１スロット当たりの受信時間のことを意味しており、受信時は基地局３０Ａおよび基地局３０Ｂが電波を送信している時間およびスロット間の干渉を防いで安定して受信させるためにその前後にガードタイムを設けており、これらの合計時間を受信時間と定義している。よって、時間的な距離の計算とは、制御部２１のタイマ２１Ａとタイマ２１Ｂとの差が受信時間以内であった場合には受信の衝突とみなしている。
【００３１】
また、本発明の実施形態では、Ａ波用の同期タイマをタイマ２１Ａ、Ｂ波用の同期タイマをタイマ２１Ｂに設定しているが、この逆でもよい。更に、発振子（振動子）にはその振動数に誤差を有するので、Ａ波およびＢ波の各スロット間の時間関係は、時間の経過と共に接近、重複、離反を繰り返すのが常である。そこで、２面待ち動作完了後にＡ波への待ち受けおよびＢ波への待ち受けが重なっていない場合でも、時間の経過と共に少しずつ近づき、やがて重なりそして遠ざかっていく動作を繰り返す。そのため、２面待ち時は、スロット間の時間間隔を常時モニタ（監視）する必要があり、受信の衝突が発生した場合には交互に受信する処理に切り替え、受信の衝突が解除された場合には通常の受信に切り替えるというような動的な処理も行われる。
【図面の簡単な説明】
【００３２】
【図１】本発明による移動端末の受信制御装置の好適実施形態の概略構成を示すブロック図である。
【図２】本発明による移動端末の受信制御装置の動作を説明するタイミングチャートであり、（Ａ）は基地局の送信と移動端末の受信関係を示し、（Ｂ）は２つの基地局からの波が重ならない場合の場合を示し、（Ｃ）は２つの基地局からの波が部分的に重なる場合を示し、（Ｄ）は（Ｂ）の状態で２面待ちする場合の受信パターンを示し、（Ｅ）は（Ｃ）の状態で２面待ちする場合の受信パターンを示す。
【図３】本発明による移動端末の受信制御方法を説明するフローチャートである。
【符号の説明】
【００３３】
１０  移動端末の受信制御装置
２０  移動端末
２１  制御部
２１Ａ  基地局Ａ用タイマ
２１Ｂ  基地局Ｂ用タイマ
２２  受信部
２３  アンテナ
３０Ａ  基地局Ａ
３０Ｂ  基地局Ｂ
【図１】
2007081501.tif 000003
【図２】
2007081501.tif 000004
【図３】
2007081501.tif 000005